(57)【要約】【課題】コンテンツの配信及び再生処理に要するユーザ側及びコンテンツ提供者側の労力を軽減する。【解決手段】配信サーバ装置２が、端末装置３から受信したコンテンツの購入要求に応じて、暗号化された有料コンテンツ及びその復号化鍵をそれぞれ端末装置３及び携帯電話機４のＩＣカード部に送信する。これにより、ユーザは、端末装置３内のＩＣカード通信部との通信が可能な位置にＩＣカード部を配置するだけで、メールでのやり取りや暗証番号の入力作業を行うことなく、有料コンテンツ及びその復号化鍵を簡単に入手することができる。また、コンテンツサーバ装置１を管理するコンテンツ提供者は、配信サーバ装置２からの要求に応じて、要求されたコンテンツを配信サーバ装置２に送信するだけで配信処理を行うことができるので、多くの労力を要することなくコンテンツの配信処理を行うことができる。【選択図】  図１
2004349752.tif 000002
【特許請求の範囲】
【請求項１】
コンテンツを記憶するコンテンツサーバ装置と、
非接触型ＩＣカード部を有する携帯通信端末と、
上記非接触型ＩＣカード部との通信機能を有する端末装置と、
上記コンテンツを上記端末装置に送信する配信サーバ装置とを備え、
上記配信サーバ装置は、上記端末装置からコンテンツの購入要求を受信するのに応じて、当該購入処理に対し固有に割り当てた識別子、コンテンツの暗号化鍵、及び当該暗号化鍵によって暗号化されたコンテンツの復号化鍵を生成し、上記コンテンツサーバ装置から購入対象のコンテンツを受信し、生成した暗号化鍵を用いて受信したコンテンツを暗号化し、暗号化されたコンテンツと上記識別子を上記端末装置に送信し、
上記端末装置は、暗号化されたコンテンツを記憶すると共に、上記通信機能を利用して上記非接触型ＩＣカード部に上記識別子を書き込み、
上記携帯通信端末は、非接触型ＩＣカード部に書き込まれた識別子を上記配信サーバ装置に送信し、
上記配信サーバ装置は、上記携帯通信端末から受信した識別子を参照して上記復号化鍵を携帯通信端末に送信し、
上記携帯通信端末は、上記非接触型ＩＣカード部内に受信した復号化鍵を記憶すること
を特徴とする配信システム。
【請求項２】
請求項１に記載の配信システムであって、
上記非接触型ＩＣカード部は、固有の識別情報を記憶し、
上記配信サーバ装置は、上記端末装置からコンテンツの購入要求を受信するのに応じて、端末装置を介して上記非接触型ＩＣカード部から上記識別情報を読み出し、読み出した識別情報に基づいて購入者を判別すること
を特徴とする配信システム。
【請求項３】
コンテンツを記憶するコンテンツサーバ装置と、非接触型ＩＣカード部を有する携帯通信端末と、上記非接触型ＩＣカード部との通信機能を有する端末装置と、上記コンテンツを上記端末装置に送信する配信サーバ装置とを備える配信システムの配信方法であって、
上記端末装置からコンテンツの購入要求を受信するのに応じて、上記配信サーバ装置において、当該購入処理に対し固有に割り当てた識別子、コンテンツの暗号化鍵、及び当該暗号化鍵によって暗号化されたコンテンツの復号化鍵を生成するステップと、
上記配信サーバ装置において、上記コンテンツサーバ装置から購入対象のコンテンツを受信するステップと、
上記配信サーバ装置において、生成した暗号化鍵を用いて受信したコンテンツを暗号化するステップと、
上記配信サーバ装置において、暗号化されたコンテンツと上記識別子を上記端末装置に送信するステップと、
上記端末装置において、暗号化されたコンテンツを記憶するステップと、
上記端末装置において、上記通信機能を利用して上記非接触型ＩＣカード部に上記識別子を書き込むステップと、
上記携帯通信端末において、非接触型ＩＣカード部に書き込まれた識別子を上記配信サーバ装置に送信するステップと、
上記配信サーバ装置において、上記携帯通信端末から受信した識別子を参照して、上記復号化鍵を携帯通信端末に送信するステップと、
上記携帯通信端末において、受信した復号化鍵を上記非接触型ＩＣカード部内に記憶するステップと
を有することを特徴とする配信方法。
【請求項４】
請求項３に記載の配信方法であって、
上記配信サーバ装置において、上記端末装置を介して上記非接触型ＩＣカード部内に記憶された固有の識別情報を読み出し、読み出した識別情報に基づいて購入者を判別するステップを有すること
を特徴とする配信方法。
【請求項５】
暗号化されたコンテンツを記憶し、非接触型ＩＣカード部との通信機能を有する端末装置と、
上記暗号化されたコンテンツの復号化鍵を記憶する非接触型ＩＣカード部を有する携帯通信端末とを備え、
上記端末装置は、上記暗号化されたコンテンツの再生要求に応じて、上記非接触型ＩＣカード部から復号化鍵が読み出し可能であるか否かを判別し、上記復号化鍵が読み出し可能と判別された場合、非接触型ＩＣカード部から復号化鍵を読み出し、当該復号化鍵を用いて暗号化されたコンテンツを復号し、復号されたコンテンツを再生すること
を特徴とする再生システム。
【請求項６】
請求項５に記載の再生システムであって、
上記端末装置は、復号されたコンテンツを再生している間、所定時間毎に上記非接触型ＩＣカード部から復号化鍵が読み出し可能であるか否かを判別し、上記復号化鍵が読み出し不可と判別された場合、コンテンツの再生を中止すること
を特徴とする再生システム。
【請求項７】
暗号化されたコンテンツの再生要求に応じて、非接触型ＩＣカード部から暗号化されたコンテンツの復号化鍵が読み出し可能であるか否かを判別するステップと、
上記復号化鍵が読み出し可能と判別された場合、非接触型ＩＣカード部から復号化鍵を読み出すステップと、
読み出された復号化鍵を用いて暗号化されたコンテンツを復号するステップと、
復号されたコンテンツを再生するステップと
を有することを特徴とする再生方法。
【請求項８】
請求項７に記載の再生方法であって、
復号されたコンテンツを再生している間、所定時間毎に上記非接触型ＩＣカード部から復号化鍵が読み出し可能であるか否かを判別し、上記復号化鍵が読み出し不可と判別された場合、コンテンツの再生を中止するステップを有すること
を特徴とする再生方法。
【請求項９】
電気通信回線を介して情報通信を行う通信制御部と、
暗号化されたコンテンツを記憶する記憶部と、
非接触型ＩＣカードと通信するＩＣカード通信部とを備え、
上記ＩＣカード通信部は、電気通信回線を介して暗号化されたコンテンツの復号化鍵を受信するのに応じて、当該復号化鍵を上記非接触型ＩＣカード内に書き込むこと
を特徴とする端末装置。
【請求項１０】
請求項９に記載の端末装置であって、
上記暗号化されたコンテンツの再生処理を制御する制御部を備え、
上記制御部は、上記暗号化されたコンテンツの再生要求に応じて、上記ＩＣカード通信部を制御して、上記非接触型ＩＣカードから復号化鍵が読み出し可能であるか否かを判別し、上記復号化鍵が読み出し可能と判別された場合、非接触型ＩＣカードから復号化鍵を読み出し、読み出した復号化鍵を用いて暗号化されたコンテンツを復号し、復号されたコンテンツを再生すること
を特徴とする端末装置。
【請求項１１】
請求項１０に記載の端末装置であって、
上記制御部は、上記コンテンツを再生している間、所定時間毎に上記ＩＣカード通信部を制御して上記非接触型ＩＣカードから復号化鍵が読み出し可能であるか否かを判別し、上記復号化鍵が読み出し不可と判別された場合、コンテンツの再生を中止すること
を特徴とする端末装置。
【請求項１２】
非接触型ＩＣカード部と、
電気通信回線を介して情報通信を行う通信制御部とを備え、
上記非接触型ＩＣカード部は、コンテンツの購入処理毎に固有に割り当てられた識別子を受信するのに応じて、当該識別子を記憶し、
上記通信制御部は、コンテンツを配信する配信サーバ装置に対し上記識別子を送信し、当該識別子に応じて配信サーバ装置が送信する上記コンテンツの復号化鍵を受信し、受信した復号化鍵を非接触型ＩＣカード部内に記憶する
ことを特徴とする携帯通信端末。
【請求項１３】
請求項１２に記載の携帯通信端末であって、
上記非接触型ＩＣカード部は、上記コンテンツの再生要求に応じて、上記復号化鍵を送信すること
を特徴とする携帯通信端末。
【発明の詳細な説明】
【０００１】
【発明の属する技術分野】
本発明は、インターネット等の電気通信回線を介して有料コンテンツを配信するシステムに関し、より詳しくは、コンテンツの配信及び再生処理に要するユーザ側及びコンテンツ提供者側の労力を軽減する技術に係わる。
【０００２】
【従来の技術】
一般に、音楽データやシェアウェア等の有料コンテンツを電気通信回線を介して配信する場合、コンテンツ提供者は、有料コンテンツの製作管理作業に加え、有料コンテンツの配信管理や著作権管理等の付加的な作業を行う必要がある。このため、コンテンツ提供者は、配信処理に関わる作業の一部を第三者に委託する等して、有料コンテンツの配信処理に要する労力の軽減を図っている（例えば、特許文献１を参照）。
【０００３】
【特許文献１】
特開２００２−３５１７４４号公報
【０００４】
【発明が解決しようとする課題】
ところで、従来までの配信システムでは、不正コピーの防止等、有料コンテンツの著作権を管理するために、有料コンテンツを暗号化してユーザに送信することが一般的となっている。しかしながら、このような構成によれば、有料コンテンツを利用する際、ユーザは、自身の暗証番号を入力し、暗号化された有料コンテンツの復号化鍵を電子メール等の手段を利用して入手し、入手した復号化鍵によりコンテンツを復号する等の多くの作業を行う必要があり、有料コンテンツの利用までに多くの労力を要する。また、コンテンツ提供者は、暗号化鍵や復号化鍵の管理等の作業を自身で行うことになるために、配信処理に関わる作業の全てを第三者に委託することができず、有料コンテンツの配信処理に要する労力を必ずしも軽減することができない。
【０００５】
本発明は、上記課題を解決するためになされたものであり、その目的は、コンテンツの配信及び再生処理に要するユーザ側及びコンテンツ提供者側の労力を軽減することが可能な、配信システム、配信方法、再生システム、再生方法、端末装置、及び携帯通信端末を提供することにある。
【０００６】
【課題を解決するための手段】
本発明に係る配信システム及び配信方法の特徴は、配信サーバ装置が、端末装置からコンテンツの購入要求を受信するのに応じて、暗号化されたコンテンツ及びその復号化鍵をそれぞれ端末装置及び非接触型ＩＣカード部に送信することにある。これにより、ユーザは、多くの作業を行うことなく、暗号化されたコンテンツ及びその復号化鍵を入手することができると共に、コンテンツ提供者は、コンテンツの配信処理を配信サーバ装置に一括して委託することができるので、コンテンツの配信処理に要するユーザ側及びコンテンツ提供者側の労力を軽減することができる。
【０００７】
また、本発明に係る再生システム及び再生方法の特徴は、端末装置が、非接触型ＩＣカード部内に記憶されている復号化鍵が読み出し可能である時に、記憶されている暗号化されたコンテンツを復号，再生することにある。これにより、ユーザは、非接触型ＩＣカードを端末装置と通信可能な位置に配置するだけで暗号化コンテンツを復号，再生することができるので、コンテンツの再生処理に要するユーザ側の労力を軽減することができる。
【０００８】
【発明の実施の形態】
本発明は、例えば図１に示すような構成を有する配信システムに適用することができる。以下、図１〜図１０を参照して、本発明の一実施形態となる配信システムの構成及び動作について詳しく説明する。
【０００９】
［配信システムの構成］
始めに、本発明の一実施形態となる配信システムの構成について説明する。
【００１０】
本発明の一実施形態となる配信システムは、図１に示すように、コンテンツを製作するコンテンツ提供者側に設けられたコンテンツサーバ装置１と、コンテンツ提供者によって製作されたコンテンツの配信処理を代行する配信者側に設けられた配信サーバ装置２と、コンテンツを購入するユーザが操作する端末装置３及びＩＣカード機能付き携帯電話機４（以下、携帯電話機４と略記）とを主な構成要素として備え、これらの構成要素はインターネット５を介して相互に情報通信可能なように構成されている。
【００１１】
なお、この実施形態では、各構成要素はインターネット５を介して情報通信を行う構成であるとしたが、本発明はこの構成に限られることはなく、例えば、電話通信回線，ＷＡＮ（Ｗｉｄｅ  Ａｒｅａ  Ｎｅｔｗｏｒｋ），ＬＡＮ（Ｌｏｃａｌ  Ａｒｅａ  Ｎｅｔｗｏｒｋ），光ファイバ通信，ケーブル通信，衛星通信等の他の情報通信網を利用して情報通信を行うように各構成要素を構成してもよい。
【００１２】
〔コンテンツサーバ装置の構成〕
上記コンテンツサーバ装置１は、汎用のパーソナルコンピュータやワークステーション等のコンピュータシステムにより構成され、図２に示すように、ＣＰＵ（Ｃｅｎｔｒａｌ  Ｐｒｏｃｅｓｓｉｎｇ  Ｕｎｉｔ）１ａ，ＲＡＭ（Ｒａｎｄｏｍ  Ａｃｃｅｓｓ  Ｍｅｍｏｒｙ）１ｂ，ＲＯＭ（Ｒｅａｄ  Ｏｎｌｙ  Ｍｅｍｏｒｙ）１ｃ，通信制御部１ｄ，及びコンテンツストレージ１ｅを主な構成要素として備える。
【００１３】
上記ＣＰＵ１ａは、ＲＯＭ１ｃ内に記憶されたコンピュータプログラムや処理用データに従って各構成要素を制御することにより、コンテンツサーバ装置１の各種機能を実現する。上記ＲＡＭ１ｂは、半導体メモリ等の揮発性の記憶媒体により構成され、ＣＰＵ１ａが実行するコンピュータプログラムや処理用データを一時的に格納するワークエリアを提供する。上記ＲＯＭ１ｃは、磁気的，光学的記憶媒体、半導体メモリ等のＣＰＵ１ａが読み取り可能な不揮発性の記憶媒体により構成され、各種コンピュータプログラム及びそのコンピュータプログラムの実行に必要な処理用データを記憶する。
【００１４】
上記通信制御部１ｄは、例えば通信モデム装置等の情報通信装置により構成され、接続する情報通信網に対応する通信用プロトコルを実装する。なお、既に述べたように、コンテンツサーバ装置１はインターネット５を介して情報通信を行うので、通信制御部１ｄは、ＨＴＴＰ（Ｈｙｐｅｒ  Ｔｅｘｔ  Ｔｒａｎｓｆｅｒ  Ｐｒｏｔｏｃｏｌ）やＴＣＰ／ＩＰ（Ｔｒａｎｓｆｅｒ  Ｃｏｎｔｒｏｌ  Ｐｒｏｔｏｃｏｌ  ／  Ｉｎｔｅｒｎｅｔ  Ｐｒｏｔｏｃｏｌ）等のインターネット通信用プロトコルを少なくとも実装する。
【００１５】
上記コンテンツストレージ１ｅは、コンテンツ提供者が製作した音楽データやシェアウェア等の有料コンテンツを記憶する。なお、本明細書中における「コンテンツ」とは、デジタル形態のデータを意味する。
【００１６】
〔配信サーバ装置の構成〕
上記配信サーバ装置２は、汎用のワークステーション等のコンピュータシステムにより構成され、図３に示すように、ＣＰＵ２ａ，ＲＡＭ２ｂ，ＲＯＭ２ｃ，通信制御部２ｄ，及びユーザ情報データベース２ｅを主な構成要素として備える。
【００１７】
上記ＣＰＵ２ａは、ＲＯＭ２ｃ内に記憶されたコンピュータプログラムや処理用データに従って各構成要素を制御することにより、後述する配信サーバ装置２の各種機能を実現する。上記ＲＡＭ２ｂは、揮発性の記憶媒体により構成され、ＣＰＵ２ａが利用するコンピュータプログラムや処理用データを一時的に格納するワークエリアを提供する。
【００１８】
上記ＲＯＭ２ｃは、ＣＰＵ２ａが読み取り可能な不揮発性の記憶媒体により構成され、配信サーバ装置２の起動プログラム等の基本プログラム（図示せず）や、後述する配信処理時の動作を実現する配信処理プログラム２ｆ等のアプリケーションプログラム、及びこれらプログラムの実行に必要な処理用データ（図示せず）を記憶する。なお、上記アプリケーションプログラムは、実行する際に、半導体メモリ、磁気ディスク，光ディスク，光磁気ディスク，磁気テープ等の記憶媒体の中からＣＰＵ２ａが読み出すように構成してもよい。
【００１９】
上記通信制御部２ｄは、例えば通信モデム装置等の情報通信装置により構成され、接続する情報通信網の形態に対応する通信用プロトコルを実装する。また、通信制御部２ｄは、通信制御部１ｄと同様、ＨＴＴＰや、ＴＣＰ／ＩＰ等のインターネット通信用プロトコルを少なくとも実装する。
【００２０】
上記ユーザ情報データベース２ｅは、有料コンテンツを購入するユーザに関する情報をＣＰＵ２ａが参照可能な形態で記憶する。具体的には、ユーザ情報データベース２ｅは、図４に示すように、ユーザ毎に割り当てられた固有のユーザＩＤ（Ｕｓｅｒ＿ＩＤ）と、名前，年齢，性別，職業，住所，電話番号，課金情報（例えばクレジットカード番号）等の個人情報と、有料コンテンツの配信処理毎に一義的に割り当てられる処理ＩＤ（Ｔｒａｎｓａｃｔｉｏｎ＿ＩＤ）と、ユーザに配信する有料コンテンツを暗号化するための暗号化鍵と、暗号化された有料コンテンツ（以下、暗号化コンテンツと略記する）を復号するための復号化鍵とをユーザ毎に記憶する。なお、各ユーザのユーザＩＤ及び個人情報は、後述する配信処理の前に行われる登録処理により生成され、詳しくは後述するが、生成されたユーザＩＤはユーザが所有する携帯電話機４のＩＣカード部４ｉ内に記憶されるものとする。
【００２１】
〔端末装置の構成〕
上記端末装置３は、汎用のパーソナルコンピュータやＰＤＡ（Ｐｅｒｓｏｎａｌ  Ｄｉｇｉｔａｌ  Ａｓｓｉｓｔａｎｔ）等のコンピュータシステムにより構成され、図５に示すように、ＣＰＵ３ａ，ＲＡＭ３ｂ，ＲＯＭ３ｃ，通信制御部３ｄ，及びＩＣカード通信部３ｅを主な構成要素として備える。
【００２２】
上記ＣＰＵ３ａは、ＲＯＭ３ｃ内に記憶されたコンピュータプログラムや処理用データに従って各構成要素を制御することにより、後述する端末装置３の各種機能を実現する。上記ＲＡＭ３ｂは、揮発性の記憶媒体により構成され、ＣＰＵ３ａが利用するコンピュータプログラムや処理用データを一時的に格納するワークエリアを提供する。
【００２３】
上記ＲＯＭ３ｃは、ＣＰＵ３ａが読み取り可能な不揮発性の記憶媒体により構成され、端末装置３の起動プログラム等の基本プログラム（図示せず）や、後述する配信処理時及び再生処理時の動作をそれぞれ実現する配信処理プログラム３ｆ及び再生処理プログラム３ｇ等のアプリケーションプログラムを記憶するプログラム記憶部３ｈと、配信サーバ装置２から配信された暗号化コンテンツ３ｉ等のデータを記憶するデータ記憶部３ｊとを備える。なお、上記アプリケーションプログラムは、実行する際に、半導体メモリ，磁気ディスク，光ディスク，光磁気ディスク，磁気テープ等の記憶媒体の中からＣＰＵ３ａが読み出すように構成してもよい。
【００２４】
上記通信制御部３ｄは、例えば通信モデム装置等の情報通信装置により構成され、接続する情報通信網の形態に対応する通信用プロトコルを実装する。また、通信制御部３ｄは、通信制御部１ｄや通信制御部２ｄと同様、ＨＴＴＰや、ＴＣＰ／ＩＰ等のインターネット通信用プロトコルを少なくとも実装する。
【００２５】
上記ＩＣカード通信部３ｅは、ＣＰＵ３ａの制御に従って非接触型ＩＣカードと通信し、非接触型ＩＣカード内のデータに対する読み出し／書き込み処理等の処理を実行する。
【００２６】
〔携帯電話機の構成〕
上記携帯電話機４は、図６に示すように、ＬＣＤ（Ｌｉｑｕｉｄ  Ｃｒｙｓｔａｌ  Ｄｉｓｐｌａｙ）表示部４ａ，ＬＥＤ（Ｌｉｇｈｔ  Ｅｍｉｓｓｉｏｎ  Ｄｉｏｄｅ）表示部４ｂ，バイブレータ４ｃ，操作入力部４ｄ，スピーカ４ｅ，メモリ４ｆ，ＣＰＵ４ｇ，ＩＣカードインタフェイス部４ｈ，ＩＣカード部４ｉ，及び通信制御部４ｊを主な構成要素として備える。
【００２７】
上記ＬＣＤ表示部４ａは、ＣＰＵ４ｇの制御に従って、文字，数字，記号，アイコン，カーソル，画像，動画像等の各種情報を可視表示する。上記ＬＥＤ表示部４ｂは、ＣＰＵ４ｇの制御に従って、複数の発光パターンで発光する。上記バイブレータ４ｃは、回転軸に偏心重りを取り付けた小型モータにより構成され、ＣＰＵ４ｇの制御に従って携帯電話機４を振動させる。
【００２８】
上記操作入力部４ｄは、「０」から「９」までの数字の入力，文字の入力，記号の入力，発信や受信の指示入力，電源のオン／オフの指示入力等の操作時に使用される複数のキーボタンを有する。また、操作入力部４ｄは、ＬＣＤ表示部４ａにより表示されたカーソルの移動操作や画面のスクロール操作等の操作時に使用されるダイアル（ジョグダイアル）を有する。
【００２９】
上記スピーカ４ｅは、ＣＰＵ４ｇの制御に従って音声信号を出力する。上記メモリ４ｆは、ＣＰＵ４ｇが読み取り可能な不揮発性の記憶媒体により構成され、携帯電話機４のオペレーションシステム（ＯＳ）プログラムや後述する配信処理の際の携帯電話機４の動作を実現する配信処理プログラム４ｋ等の各種コンピュータプログラムや処理用データを記憶する。
【００３０】
上記ＣＰＵ４ｇは、ＲＯＭ３ｃ内に記憶されたコンピュータプログラムや処理用データを利用して各構成要素を制御することにより、後述する携帯電話機４の各種機能を実現する。上記ＩＣカードインタフェイス部４ｈは、ＣＰＵ４ｇとＩＣカード部４ｉとの間の通信処理を制御する。上記通信制御部４ｊは、ＴＣＰ／ＩＰやＨＴＴＰ等の各種通信用プロトコルを実装し、電話の着信処理や発信処理，電子データの送受信処理，ウェブ閲覧処理等、携帯電話機４の一般的な通信機能を実現する。
【００３１】
上記ＩＣカード部４ｉは、ＩＣカード通信部３ｅ等のＩＣカードリーダ／ライタ装置から送信されるコマンドに従って動作する非接触型ＩＣカードにより構成され、アンテナ４ｌ，整流部４ｍ，復調部４ｎ，制御部４ｏ，記憶部４ｐ，及び変調部４ｑを主な構成要素として備える。上記整流部４ｍは、アンテナ４ｌに誘起された交流電圧を直流電圧に整流し、ＩＣカード部４ｉ内の構成要素が動作するための電力を生成する。上記復調部４ｎは、受信したキャリア信号の中からデータ信号を分離，出力する。上記制御部４ｏは、受信したコマンドに従って各種サービスに対応する処理を実行する。具体的には、制御部４ｏは、復調部４ｎから出力されたデータ信号を解析することにより、データ信号の中からコマンドやデータを抽出する。そして、制御部４ｏは、抽出したコマンドの内容に従って、記憶部４ｐ内にデータを記憶したり、記憶部４ｐ内からデータを読み出す等、各種処理を実行する。
【００３２】
上記記憶部４ｐは、図７に示すように各種サービスに対応する情報を記憶する。なお、図示しないが、有料コンテンツの配信サービスに対応する情報内には、ユーザに割り当てられたユーザＩＤ（Ｕｓｅｒ＿ＩＤ）の情報、及び配信サーバ装置２に接続するための情報（例えば、電話番号やＩＰアドレス等）が少なくとも含まれる。また、後述する配信処理時には処理ＩＤ（Ｔｒａｎｓａｃｔｉｏｎ＿ＩＤ）に関する情報、配信処理完了後には暗号化コンテンツの復号化鍵に関する情報が含まれる。上記変調部４ｑは、制御部４ｏから出力される送信データに従ってキャリア信号を振幅変調し、送信データが重畳されたキャリア信号をアンテナ４ｌを介して送信する。
【００３３】
［配信システムの動作］
〔配信処理〕
上記配信システムは、以下に示すように動作して暗号化された有料コンテンツ及びその復号化鍵をそれぞれ端末装置３及びＩＣカード部４ｉに配信する。以下、図８を参照して、暗号化された有料コンテンツ及びその復号化鍵を配信する際の配信システムの動作について詳しく説明する。
【００３４】
コンテンツの配信処理は、ユーザがインターネット５を介して端末装置３を配信サーバ装置２に接続することで開始となり、ステップＳ１の処理に進む。そして、ステップＳ１の処理では、端末装置３が、配信サーバ装置２から送信されるウェブ画面等の情報を参照してユーザが有料コンテンツを選択するのに応じて、選択された有料コンテンツの購入要求を配信サーバ装置２に送信する。これにより、このステップＳ１の処理は完了し、配信処理はステップＳ１の処理からステップＳ２の処理に進む。
【００３５】
ステップＳ２の処理では、配信サーバ装置２が、端末装置３に対しユーザに割り当てられているユーザＩＤ（Ｕｓｅｒ＿ＩＤ）の送信要求を送信する。これにより、このステップＳ２の処理は完了し、配信処理はステップＳ２の処理からステップＳ３の処理に進む。
【００３６】
ステップＳ３の処理では、端末装置３が、ＩＣカード部４ｉに対しユーザＩＤの読み出し要求コマンドを送信する。これにより、このステップＳ３の処理は完了し、配信処理はステップＳ３の処理からステップＳ４の処理に進む。
【００３７】
ステップＳ４の処理では、ＩＣカード部４ｉが、記憶部４ｐ内に記憶されている有料コンテンツの配信サービスに対応する情報の中からユーザＩＤを読み出し、読み出したユーザＩＤを端末装置３に送信する（読み出し応答）。これにより、このステップＳ４の処理は完了し、配信処理はステップＳ４の処理からステップＳ５の処理に進む。
【００３８】
ステップＳ５の処理では、端末装置３が、配信サーバ装置２に対しＩＣカード部４ｉから送信されたユーザＩＤを送信する。これにより、このステップＳ５の処理は完了し、配信処理はステップＳ５の処理からステップＳ６の処理に進む。
【００３９】
ステップＳ６の処理では、配信サーバ装置２が、ユーザが選択した有料コンテンツを暗号化するための暗号化鍵と、暗号化された有料コンテンツを復号するための復号化鍵と、この配信処理に対し一義的に割り当てられた処理（Ｔｒａｎｓａｃｔｉｏｎ）ＩＤを作成し、受信したユーザＩＤに対応するユーザ情報データベース２ｅの記憶領域に作成した情報を記憶する。これにより、このステップＳ６の処理は完了し、配信処理はステップＳ６の処理からステップＳ７の処理に進む。
【００４０】
ステップＳ７の処理では、配信サーバ装置２が、作成した処理ＩＤを端末装置３に送信する。これにより、このステップＳ７の処理は完了し、配信処理はステップＳ７の処理からステップＳ８の処理に進む。
【００４１】
ステップＳ８の処理では、端末装置３が、処理ＩＤの書き込み要求コマンドと受信した処理ＩＤをＩＣカード部４ｉに送信する。これにより、このステップＳ８の処理は完了し、配信処理はステップＳ８の処理からステップＳ９の処理に進む。
【００４２】
ステップＳ９の処理では、ＩＣカード部４ｉが、記憶部４ｐ内に記憶されている有料コンテンツの配信サービスに対応する情報の中に処理ＩＤを書き込み、処理ＩＤの書き込みが完了するのに応じて、処理ＩＤの書き込み完了応答を端末装置３に送信する。これにより、このステップＳ９の処理は完了し、配信処理はステップＳ９の処理からステップＳ１０の処理に進む。
【００４３】
ステップＳ１０の処理では、配信サーバ装置２が、コンテンツサーバ装置１に対しユーザが選択した有料コンテンツの送信を要求する。これにより、このステップＳ１０の処理は完了し、配信処理はステップＳ１０の処理からステップＳ１１の処理に進む。
【００４４】
ステップＳ１１の処理では、コンテンツサーバ装置１が、コンテンツストレージ１ｅの中から要求された有料コンテンツを読み出し、読み出した有料コンテンツを配信サーバ装置２に送信する。これにより、このステップＳ１０の処理は完了し、配信処理はステップＳ１１の処理からステップＳ１２の処理に進む。
【００４５】
ステップＳ１２の処理では、配信サーバ装置２が、ステップＳ６の処理において作成した暗号化鍵を用いて有料コンテンツを暗号化する。これにより、このステップＳ１２の処理は完了し、配信処理はステップＳ１２の処理からステップＳ１３の処理に進む。
【００４６】
ステップＳ１３の処理では、端末装置３が、配信サーバ装置２に対し有料コンテンツの配信要求を送信する。これにより、このステップＳ１３の処理は完了し、配信処理はステップＳ１３の処理からステップＳ１４の処理に進む。
【００４７】
ステップＳ１４の処理では、配信サーバ装置２が、ステップＳ１２の処理において暗号化された有料コンテンツを端末装置３に送信する。これにより、このステップＳ１４の処理は完了し、配信処理はステップＳ１４の処理からステップＳ１５の処理に進む。
【００４８】
ステップＳ１５の処理では、携帯電話機４が、ユーザからの指示に応じて、記憶部４ｐ内に記憶されている配信サーバ装置２に接続するための情報を参照して、暗号化された有料コンテンツの復号化鍵の送信要求を配信サーバ装置２に送信する。これにより、このステップＳ１５の処理は完了し、配信処理はステップＳ１５の処理からステップＳ１６の処理に進む。
【００４９】
ステップＳ１６の処理では、配信サーバ装置２が、送信する復号化鍵を特定するために、ＩＣカード部４ｉに対し処理ＩＤの送信要求コマンドを送信する。これにより、このステップＳ１６の処理は完了し、配信処理はステップＳ１６の処理からステップＳ１７の処理に進む。
【００５０】
ステップＳ１７の処理では、携帯電話機４が、記憶部４ｐ内に記憶されている有料コンテンツの配信サービスに対応する情報の中から処理ＩＤを読み出し、読み出した処理ＩＤを配信サーバ装置２に送信する。これにより、このステップＳ１７の処理は完了し、配信処理はステップＳ１７の処理からステップＳ１８の処理に進む。
【００５１】
ステップＳ１８の処理では、配信サーバ装置２が、有料コンテンツの販売処理に係わる課金処理を実行する。なお、この課金処理は、ユーザ情報データベース２ｅやＩＣカード部４ｉ内に予め記憶されているクレジットカード情報や電子マネー情報等のユーザの個人情報を使用したり、請求書を発行する等の方法により実行することができる。これにより、このステップＳ１８の処理は完了し、配信処理はステップＳ１８の処理からステップＳ１９の処理に進む。
【００５２】
ステップＳ１９の処理では、配信サーバ装置２が、受信した処理ＩＤに対応する復号化鍵をユーザ情報データベース２ｅの中から読み出し、読み出した復号化鍵を携帯電話機４に送信する。そして、携帯電話機４は、記憶部４ｐ内に記憶されている有料コンテンツの配信サービスに対応する情報の中に受信した復号化鍵を記録する。これにより、このステップＳ１９の処理は完了し、一連の配信処理は終了する。
【００５３】
なお、この実施形態では、配信サーバ装置２は、端末装置３を介してソフトウェア的にＩＣカード部４ｉと通信したが、ＩＣカード部４ｉに直接アクセスして通信してもよい。
【００５４】
〔再生処理〕
上記のようにして端末装置３内及びＩＣカード部４ｉ内にそれぞれ、暗号化された有料コンテンツ及びその復号化鍵が記憶されると、端末装置３及び携帯電話機４は、ユーザの操作に従って以下に示すように動作することにより、有料コンテンツの再生処理を実行する。以下、図９に示すフローチャートを参照して、有料コンテンツの再生処理を実行する際の端末装置３及び携帯電話機４の動作について詳しく説明する。
【００５５】
図９に示すフローチャートは、ユーザが端末装置３を操作して有料コンテンツの再生処理を指示するのに応じて開始となり、この再生処理はステップＳ２１の処理に進む。なお、端末装置３は、有料コンテンツの再生処理が指示されるのに応じて、「ＩＣカード通信部３ｅとの通信が可能な位置にＩＣカード部４ｉをかざして下さい」等のメッセージを出力することが望ましい。
【００５６】
ステップＳ２１の処理では、端末装置３が、ＩＣカード部４ｉに対し復号化鍵の読み出し要求コマンドを送信することにより、記憶部４ｐ内に記憶されている有料コンテンツの配信サービスに対応する情報の中から復号化鍵を読み出す。これにより、このステップＳ２１の処理は完了し、再生処理はステップＳ２１の処理からステップＳ２２の処理に進む。
【００５７】
ステップＳ２２の処理では、端末装置３が、復号化鍵の読み出しが成功したか否かを判別する。そして、判別の結果、復号化鍵の読み出しが失敗した場合、端末装置３は再生処理をステップＳ２７の処理に進める。一方、復号化鍵の読み出しが成功した場合には、端末装置３は再生処理をステップＳ２３の処理に進める。
【００５８】
ステップＳ２３の処理では、端末装置３が、ＩＣカード部４ｉから読み出した復号化鍵を用いて、ＲＯＭ３ｃ内に記憶されている暗号化コンテンツ３ｉを復号する。これにより、このステップＳ２３の処理は完了し、再生処理はステップＳ２３の処理からステップＳ２４の処理に進む。
【００５９】
ステップＳ２４の処理では、端末装置３が、暗号化コンテンツ３ｉの復号が成功したか否かを判別する。そして、判別の結果、復号が失敗した場合、端末装置３は再生処理をステップＳ２７の処理に進める。一方、復号が成功した場合には、端末装置３は再生処理をステップＳ２５の処理に進める。
【００６０】
ステップＳ２５の処理では、端末装置３が、復号された有料コンテンツを再生する。これにより、このステップＳ２５の処理は完了し、再生処理はステップＳ２５の処理からステップＳ２６の処理に進む。
【００６１】
ステップＳ２６の処理では、端末装置３が、有料コンテンツの再生が完了したか否かを判別する。そして、有料コンテンツの再生が完了するのに応じて、端末装置３は、再生処理をステップＳ２７の処理に進める。
【００６２】
ステップＳ２７の処理では、端末装置３が、他の有料コンテンツに対する再生指示があるか否かを判別する。そして、再生指示がある場合、端末装置３は再生処理をステップＳ２１の処理に戻す。一方、再生指示がない場合には、一連の再生処理は終了する。
【００６３】
なお、この実施形態では、端末装置３は、有料コンテンツの再生開始時に復号化鍵の読み出し確認処理（ステップＳ２２の処理）を行ったが、例えば図１０に示すフローチャートのように、有料コンテンツの再生中にも復号鍵化の読み出し確認を一定時間毎に行ってもよい（ステップＳ３１〜ステップＳ３３の処理）。
【００６４】
〔実施の形態の効果〕
以上の説明から明らかなように、本発明の一実施形態となる配信システムによれば、配信サーバ装置２が、端末装置３から受信したコンテンツの購入要求に応じて、暗号化された有料コンテンツ及びその復号化鍵をそれぞれ端末装置３及びＩＣカード部４ｉに送信するので、ユーザは、端末装置３内のＩＣカード通信部３ｅとの通信が可能な位置にＩＣカード部４ｉを配置するだけで、メールでのやり取りや暗証番号の入力作業を行うことなく、有料コンテンツ及びその復号化鍵を簡単に入手することができる。また、コンテンツ提供者は、配信サーバ装置２からの要求に応じて、要求されたコンテンツを配信サーバ装置２に送信するだけで配信処理を行うことができるので、多くの労力を要することなくコンテンツの配信処理を行うことができる。
【００６５】
また、本発明の一実施形態となる配信システムによれば、端末装置３内のＩＣカード通信部３ｅが、ＩＣカード部４ｉと通信し、ＩＣカード部４ｉ内に記憶されている復号化鍵が読み出し可能である時に、ＣＰＵ３ａが、ＲＯＭ３ｃ内に記憶されている暗号化コンテンツ３ｉを復号，再生するので、ユーザは、復号化鍵の入力作業を自らの手で行うことなく、端末装置３内のＩＣカード通信部３ｅとの通信が可能な位置にＩＣカード部４ｉを配置するだけで、暗号化された有料コンテンツを簡単に再生することができる。また、暗号化されたコンテンツが第三者にコピーされても、復号化鍵が記憶されたＩＣカード部４ｉが無い限りコンテンツを再生することができないので、有料コンテンツが不正にコピー，再生されることを防止することができる。
【００６６】
また、本発明の一実施形態となる配信システムによれば、端末装置３内のＩＣカード通信部３ｅが、有料コンテンツを再生している間、一定時間毎にＩＣカード部４ｉと通信し、ＩＣカード部４ｉ内に記憶されている復号化鍵が読み出し不能と判別された場合、ＣＰＵ３ａが、有料コンテンツの再生を中止するので、コンテンツの再生開始後に、ＩＣカード部４ｉが端末装置３内のＩＣカード通信部３ｅとの通信が可能な位置から外れた場合、コンテンツの再生を停止させることができる。
【００６７】
また、本発明の一実施形態となる配信システムによれば、配信サーバ装置２が、端末装置３を介してＩＣカード部４ｉ内に記憶されたユーザＩＤを読み出し、読み出したユーザＩＤに基づいてユーザを判別することができるので、配信サーバ装置２は、判別結果に基づいてコンテンツ購入に対する課金処理等のユーザ固有の処理を行うことができる。
【００６８】
〔その他の実施形態〕
以上、本発明者らによってなされた発明を適用した実施の形態について説明したが、この実施の形態による本発明の開示の一部をなす論述及び図面により本発明は限定されることはない。例えば、上記実施形態では、携帯電話機４にＩＣカード部４ｉを設け、携帯電話機４が配信サーバ装置２と通信してＩＣカード部４ｉ内に復号化鍵を記憶したが、ＩＣカード部４ｉ単独の場合やＩＣカード部４ｉを有する装置が情報通信機能を有さない場合には、端末装置３が配信サーバ装置２と通信してＩＣカード部４ｉ内に復号化鍵を記憶してもよい。このように、この実施の形態に基づいて当業者等によりなされる他の実施の形態、実施例及び運用技術等は全て本発明の範疇に含まれることは勿論であることを付け加えておく。
【００６９】
【発明の効果】
本発明によれば、配信サーバ装置が、暗号化されたコンテンツ及びその復号化鍵をそれぞれ端末装置及び非接触型ＩＣカード部に送信するので、コンテンツの配信処理に要するユーザ側及びコンテンツ提供者側の労力を軽減することができる。
【００７０】
また、本発明によれば、端末装置が、非接触型ＩＣカード部内に記憶されている復号化鍵が読み出し可能である時に、記憶されている暗号化されたコンテンツを復号，再生するので、コンテンツの再生処理に要するユーザ側の労力を軽減することができる。
【図面の簡単な説明】
【図１】本発明の一実施形態となる配信システムの構成を示す模式図である。
【図２】図１に示すコンテンツサーバ装置の構成を示すブロック図である。
【図３】図１に示す配信サーバ装置の構成を示すブロック図である。
【図４】図３に示すユーザ情報データベースの構成を示す模式図である。
【図５】図１に示す端末装置の構成を示すブロック図である。
【図６】図１に示す携帯電話機の構成を示すブロック図である。
【図７】図６に示す記憶部の構成を示す模式図である。
【図８】本発明の一実施形態となる配信処理の流れを示すフローチャート図である。
【図９】本発明の一実施形態となる再生処理の流れを示すフローチャート図である。
【図１０】図９に示す配信処理の応用例を示すフローチャート図である。
【符号の説明】
１…コンテンツサーバ装置、２…配信サーバ装置、３…端末装置、３ｅ…ＩＣカード通信部、４…ＩＣカード機能付き携帯電話機、４ｉ…ＩＣカード部、５…インターネット
【図１】
2004349752.tif 000003
【図２】
2004349752.tif 000004
【図３】
2004349752.tif 000005
【図４】
2004349752.tif 000006
【図５】
2004349752.tif 000007
【図６】
2004349752.tif 000008
【図７】
2004349752.tif 000009
【図８】
2004349752.tif 000010
【図９】
2004349752.tif 000011
【図１０】
2004349752.tif 000012